(57)【要約】      （修正有）【課題】地震で左右の建物が異なる前後左右方向に揺れ動いても、その揺れ動きを吸収できる通路用目地装置を提供する。【解決手段】一方の建物２の一方の通路３の開口端部４と目地部５を介して配置される他方の建物６の他方の通路７の目地部側の床面に形成されたスライド支持凹部８と、一端部が開口端部４の床躯体に枢支され、他端部がスライド支持凹部８にスライド移動可能に位置するプレート支持バー１３と、支持バー１１を左右方向にスライド移動させるガイド手段１６と、プレート支持バー１３上を覆うように枢支されかつ両側部にスライド移動して伸縮することができる目地プレート２１と、スライド支持凹部８上に位置する複数個の目地プレート２１およびスライド支持凹部８を覆うカバープレート２２と、他方の通路７の側壁に一端部が枢支され、他端部が一方の通路３の側壁に枢支された一対の壁用目地装置２３，２４とで通路用目地装置１を構成している。【選択図】図３
2012031713.tif 000002
【特許請求の範囲】
【請求項１】
一方の建物の一方の通路の開口端部と目地部を介して配置される他方の建物の他方の通路の目地部側の床面に、該目地部の幅寸法の約２倍の幅寸法で形成されたスライド支持凹部と、一端部が前記一方の通路の開口端部の床躯体に所定間隔で枢支され、他端部が前記スライド支持凹部のほぼ中央部にスライド移動可能に位置する支持バーに所定間隔で枢支された複数本のプレート支持バーと、前記支持バーを前記スライド支持凹部のほぼ中央部を支持した状態で左右方向にスライド移動させるガイド手段と、前記複数本のプレート支持バー上を覆うように枢支され、かつ両側部にスライド移動して伸縮することができる、通常時には収縮用の隙間を有するように係合する係合片と係合凹部が形成された複数個の目地プレートと、前記スライド支持凹部上に位置する前記複数個の目地プレートおよび、該スライド支持凹部を覆うように前記他方の通路の床躯体に取付けられたカバープレートと、前記支持バーの位置している所まで形成された前記他方の通路の側壁に一端部が枢支され、他端部が一方の通路の側壁に枢支された一対の壁用目地装置とからなることを特徴とする通路用目地装置。
【請求項２】
支持バーは複数本のプレート支持バーの先端部を枢支ピンで枢支することができる支持バー本体と、この支持バー本体の底面にスライド支持凹部をスムーズにスライド移動できるように取付けられた複数個のローラとで構成されていることを特徴とする請求項1記載の通路用目地装置。
【発明の詳細な説明】
【技術分野】
【０００１】
本発明は目地部を介して設けられた左右の建物の通路を接続する通路用目地装置に関する。
【背景技術】
【０００２】
従来、一方の建物の通路の壁に形成された開口部と、他方の建物より突出する目地部を介して設けられた渡り通路との間を接続するには、一方の建物と他方の建物とが地震時の異なる前後方向の揺れ動きを吸収するために、渡り通路の側壁よりも外側に突出させた袖壁を設けて、逃げ代を設けていた。
【０００３】
このため、接続部分の寸法が大きくなり、コスト高になるとともに、一方の建物の通路の開口部の床躯体に前後方向にスライド移動可能に床目地プレートを設けるため、左右の建物が地震で異なる前後方向に揺れ動くと、床面に三角形状の隙間ができ、危険になるという欠点があった。
【先行技術文献】
【特許文献】
【０００４】
【特許文献１】特開２００５−２０７１２７号公報
【発明の概要】
【発明が解決しようとする課題】
【０００５】
本発明は以上のような従来の欠点に鑑み、接続部の寸法を大きくすることなく地震で左右の建物が異なる前後左右方向に揺れ動いても、その揺れ動きを吸収することができるとともに、揺れ時に床に隙間が生じて危険になったりすることなく、安全に使用することができる通路用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は一方の建物の一方の通路の開口端部と目地部を介して配置される他方の建物の他方の通路の目地部側の床面に、該目地部の幅寸法の約２倍の幅寸法で形成されたスライド支持凹部と、一端部が前記一方の通路の開口端部の床躯体に所定間隔で枢支され、他端部が前記スライド支持凹部のほぼ中央部にスライド移動可能に位置する支持バーに所定間隔で枢支された複数本のプレート支持バーと、前記支持バーを前記スライド支持凹部のほぼ中央部を支持した状態で左右方向にスライド移動させるガイド手段と、前記複数本のプレート支持バー上を覆うように所定間隔で枢支され、かつ両側部にスライド移動して伸縮することができる、通常時には収縮用の隙間を有するように係合する係合片と係合凹部が形成された複数個の目地プレートと、前記スライド支持凹部上に位置する複数個の目地プレートおよび、該スライド支持凹部を覆うように前記他方の通路の床躯体に取付けられたカバープレートと、前記支持バーの位置している所まで形成された前記他方の通路の側壁に一端部が枢支され、他端部が一方の通路の側壁に枢支された一対の壁用目地装置とで通路用目地装置を構成している。
【発明の効果】
【０００８】
以上の説明から明らかなように、本発明にあっては次に列挙する効果が得られる。
（１）請求項1により、一方の建物と他方の建物とが地震で異なる前後方向に揺れ動くと、複数本のプレート支持バーの両端部が枢支されているため、回動し、該複数本のプレート支持バーに枢支されている複数個の目地プレートが前後方向にスライド移動して、その揺れ動きを吸収することができる。
この時、支持バーの位置している所まで形成された他方の通路の側壁に一端部が枢支され、他端部が一方の通路側壁に枢支された一対の壁用目地装置が傾斜面になり、床面部分に隙間が生じるのを防止することができ、安全に使用することができる。
（２）前記（１）のように異なる前後方向の揺れ動き時に、異なる左右方向の揺れ動きが重なった場合には、複数個の目地プレートの係合片と係合凹部との係合
部の隙間が大きくなったり、小さくなったりして、その揺れ動きを吸収することができる。
（３）前記（１）によって、異なる左右方向の揺れ動き時には、複数本のプレート支持バーおよび複数個の目地プレートの先端部が他方の建物の他方の通路方向へスライド移動して、その揺れ動きを吸収することができる。
（４）請求項２も前記（１）〜（３）と同様な効果が得られるとともに、複数個の目地プレートを支持する複数本のプレート支持バーの先端部を、スムーズにスライド支持凹部をスライド移動させることができる。
【図面の簡単な説明】
【０００９】
【図１】本発明を実施するための第１の形態の平面図。
【図２】本発明を実施するための第１の形態の正面図。
【図３】図１の３−３線に沿う断面図。
【図４】図２の４−４線に沿う断面図。
【図５】本発明を実施するための第１の形態の他方の通路の目地部側を示す説明図。
【図６】本発明を実施するための第１の形態の複数本のプレート支持バーの取付け状態の説明図。
【図７】本発明を実施するための第１の形態の目地プレートの説明図。
【図８】本発明を実施するための第１の形態の建物が異なる前後方向に揺れ動いた状態の説明図。
【図９】本発明を実施するための第１の形態の目地部が狭くなって建物が異なる前後方向に揺れ動いた状態の説明図。
【図１０】本発明を実施するための第１の形態の建物が異なる左右方向に揺れ動いた状態の説明図。
【図１１】本発明を実施するための第２の形態の平面図。
【図１２】図１１の１２−１２線に沿う断面図。
【図１３】図１２の１３−１３線に沿う断面図。
【図１４】本発明を実施するための第３の形態の平面図。
【図１５】図１４の１５−１５線に沿う断面図。
【図１６】図１５の１６−１６線に沿う断面図。
【図１７】本発明を実施するための第4の形態の平面図。
【図１８】図１７の１８−１８線に沿う断面図。
【図１９】図１８の１９−１９線に沿う断面図。
【図２０】本発明を実施するための第５の形態の平面図。
【図２１】図２０の２１−２１線に沿う断面図。
【図２２】図２１の２２−２２線に沿う断面図。
【発明を実施するための形態】
【００１０】
以下、図面に示す本発明を実施するための形態により、本発明を詳細に説明する。
【００１１】
図１ないし図１０に示す本発明を実施するための第１の形態において、１は一方の建物２の一方の通路３の開口端部４と目地部５を介して配置される他方の建物６の渡り通路と称される他方の通路７とを接続する本発明の通路用目地装置で、この通路用目地装置１は前記他方の通路７の目地部５側の床躯体７ａの床面に、該目地部５の幅寸法Ｌの約２倍の幅寸法で形成されたスライド支持凹部８と、一端が前記一方の通路３の開口部４の床躯体３ａに所定間隔で取付けられた取付金具９に枢支ピン１０で枢支され、他端部が前記スライド支持凹部８のほぼ中央部にスライド移動可能に位置する支持バー１１に所定間隔で枢支ピン１２で枢支された複数本のプレート支持バー１３と、前記支持バー１１を前記スライド支持凹部８のほぼ中央部を保持した状態で左右方向にスライド移動させる、該スライド支持凹部８の中央部に形成された左右方向のガイド溝１４、このガイド溝１４に沿ってスライド移動する前記支持バー１１に固定された係合ピン１５とからなるガイド手段１６と、前記複数本のプレート支持バー１３上を覆うように所定間隔で枢支ピン１７、１７で枢支され、かつ両側部にスライド移動して伸縮することができる、通常時には収縮用の隙間１８を有するように係合する係合片１９と係合凹部２０が形成された複数個の目地プレート２１と、前記スライド支持凹部８上に位置する複数個の目地プレート２１および、該スライド支持凹部８を覆うように前記他方の通路７の床躯体７ａに取付けられたカバープレート２２と、前記支持バー１１の位置している所まで形成された前記他方の通路７の側壁７ｂ、７ｂに一端部が枢支され、他端部が一方の通路３の側壁３ｂ、３ｂに枢支された２対の内・外壁用目地装置２３、２３、２４、２４とで構成されている。
【００１２】
前記スライド支持凹部８には必要に応じて金属材製の下地材２５を設置してもよい。
【００１３】
前記支持バー１１は前記複数本のプレート支持バー１３の先端部の取付片１３ａが挿入される金属材製のコ字状の支持バー本体２６と、この支持バー本体２６に所定間隔で形成された枢支ピン挿入孔２７と、前記支持バー本体２６の底面に取付けられた前記スライド支持凹部８あるいは下地材２５上をスムーズにスライド移動する複数個のローラ２８、２８とで構成されている。
【００１４】
前記目地プレート２１は図７に示すように、板状の目地プレート本体２９と、この目地プレート本体２９の両端部に形成された相欠状の係合片１９と係合凹部２０と、この係合片１９の先端部側に形成された、前記プレート支持バー１３に枢支ピン１７で枢支される皿状の枢支ピン挿入孔３０、３０とで構成されている。
【００１５】
前記２対の内・外壁用目地装置２３、２３、２４、２４は伸縮するとともに、前後方向に揺れ動いても追従できるように移動できる、従来から使用されている構成のものであれば、特許第３６６２１７３号、特許第３４２００６１号、特許第３４１３８１３号、特許第３３９０３６２号、特許第３３８８７１７号、特許第３３５４１１９号等の構造のものを用いてもよい。
【００１６】
上記構成の通路用目地装置１は、通常時には図３に示すように一方の通路３と他方の通路７とをカバープレート２４、複数個の目地プレート２１でほぼ同一面となるように覆われた状態となっており、安全に走行することができる。
【００１７】
地震により一方の建物２と他方の建物６とが異なる前後方向に揺れ動いた場合、図８に示すように複数本のプレート支持バー１３が傾斜状態となるため、該複数本のプレート支持バー１３に枢支された複数個の目地プレート２１が、隙間１８が小さくなるように前後方向にスライド移動した状態になるとともに、２対の内・外壁用目地装置２３、２３、２４、２４も複数本のプレート支持バー１３と同じような傾斜状態となるため、床面に隙間が生じたりすることなく、安全に使用することができる。
【００１８】
また、このような状態で目地部５の幅寸法が小さくなるように揺れ動くと、図９に示すように複数本のプレート支持バー１３の先端部の支持バー１１が反一方の建物２側へガイド手段１６でスライド移動して、その揺れ動きを吸収するが、この時の移動を確実に吸収するために、支持バー１１側の複数個の目地プレート２１の寸法を複数本のプレート支持バー１３が回動して前後方向にずれても他方の通路７の側壁７ｂ、７ｂに当接しないように短く形成したものを使用する。
【００１９】
次に、一方の建物２と他方の建物６とが異なる左右方向に揺れ動いた場合、図１０に示すように他方の建物６のスライド支持凹部８内を支持バー１１が前後方向にスライド移動するとともに、２対の内・外壁用目地装置２３、２３、２４、２４も伸縮移動し、その揺れ動きを吸収することができる。
【００２０】
[発明を実施するための異なる形態]
次に、図１１ないし図２２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１１ないし図１３に示す本発明を実施するための第２の形態において、前記本発明を実施するための第１の形態と主に異なる点は、複数本のプレート支持バー１３に中央部に複数個の皿状の枢支ピン挿入孔３０Ａを形成した複数個の目地プレート２１Ａを用いて、該皿状の枢支ピン挿入孔３０Ａを用いて目地プレート２１Ａを複数本のプレート支持バー１３に枢支するとともに、スライド支持凹部８に所定間隔でローラ３１を設置した下地材２５Ａを用いた点で、このように構成した通路用目地装置１Ａにしても、前記本発明を実施するための第１の形態と同様な作用効果が得られる。
【００２２】
図１４ないし図１６に示す本発明を実施するための第３の形態において、前記本発明を実施するための第１の形態と主に異なる点は、他方の通路７の目地部側の側壁７ｂ、７ｂの内壁面に内側へ突出する袖壁３２、３２を設け、該袖壁３２、３２の先端部に内壁用目地装置２３Ａ、２３Ａを取付けた点で、このように構成した通路用目地装置１Ｂにしても、前記本発明を実施するための第１の形態と同様な作用効果が得られるとともに、地震で目地部が狭くなり、かつ異なる前後方向に揺れ動いても、隙間が生じることなく、複数個の目地プレート２１がスライド移動できる寸法に設定することができる。
【００２３】
図１７ないし図１９に示す本発明を実施するための第４の形態において、前記本発明を実施するための第１の形態と主に異なる点は、複数本のプレート支持バー１３の上部の左右端部側に小さい幅寸法の目地プレート２１、２１，２１を枢支ピン１７、１７で枢支するとともに、これらの小さい幅寸法の目地プレート２１、２間に大きい幅寸法の目地プレート２１Ｂを枢支ピン１７、１７で枢支した点で、このように構成した通路用目地装置１Ｃにしても、前記本発明を実施するための第１の形態と同様な作用効果が得られるとともに、カバープレート２２の先端部と一方の建物２側に設けたカバープレート３３の間に大きな幅の地プレート２１Ｂを位置させ、係合片１９と係合凹部２０殿間の隙間をカバープレート２２とカバープレート３３とで隠すことができる。
【００２４】
図２０ないし図２２に示す本発明を実施するための第５の形態において、前記本発明を実施するための第４の形態と主に異なる点は、係合片１９、係合凹部２０ができるように幅寸法の異なる２枚の板を重ね合わせた小さい幅寸法の目地プレート２１Ｃ、２１Ｃ、２１Ｃと、係合片１９、係合凹部２０ができるように幅寸法の異なる２枚の板を重ね合わせた大きい幅寸法の目地プレート２１Ｄを使用した点で、このように構成した通路用目地装置１Ｄにしても、前記本発明を実施するための第４の形態と同様な作用効果が得られるとともに、小さい幅寸法の目地プレート２１Ｃ、大きい幅寸法の目地プレート２１Ｄの製造が容易で、低コストで作ることができる。
【産業上の利用可能性】
【００２５】
本発明は目地部を介して設けられた通路を接続する通路用目地装置を製造する産業で利用される。
【符号の説明】
【００２６】
１、１Ａ、１Ｂ、１Ｃ、１Ｄ：通路用目地装置、
２：一方の建物、      ３：一方の通路、
４：開口部、          ５：目地部、  
６：他方の建物、      ７：他方の通路、
Ｌ：目地部の幅寸法、    ８：スライド支持凹部、
９：取付金具、      １０：枢支ピン、
１１：支持バー、      １２：枢支ピン、
１３：プレート支持バー、    １４：ガイド溝、
１５：係合ピン、      １６：ガイド手段、
１７：枢支ピン、      １８：隙間、
１９：係合片、      ２０：係合凹部、
２１、２１Ａ、２１Ｂ、２１Ｃ、２１Ｄ：目地プレート、  
２２：カバープレート、        ２３：内壁用目地装置、
２４：外壁用目地装置、        ２５、２５Ａ：下地材、
２６：支持バー本体、          ２７：枢支ピン挿入孔、
２８：ローラ、                ２９：目地プレート本体、
３０：枢支ピン挿入孔、        ３１：ローラ、
３２：袖壁、                  ３３：カバープレート。
【図１】
2012031713.tif 000003
【図２】
2012031713.tif 000004
【図３】
2012031713.tif 000005
【図４】
2012031713.tif 000006
【図５】
2012031713.tif 000007
【図６】
2012031713.tif 000008
【図７】
2012031713.tif 000009
【図８】
2012031713.tif 000010
【図９】
2012031713.tif 000011
【図１０】
2012031713.tif 000012
【図１１】
2012031713.tif 000013
【図１２】
2012031713.tif 000014
【図１３】
2012031713.tif 000015
【図１４】
2012031713.tif 000016
【図１５】
2012031713.tif 000017
【図１６】
2012031713.tif 000018
【図１７】
2012031713.tif 000019
【図１８】
2012031713.tif 000020
【図１９】
2012031713.tif 000021
【図２０】
2012031713.tif 000022
【図２１】
2012031713.tif 000023
【図２２】
2012031713.tif 000024